(57)【要約】【課題】不正行為を防止する。【解決手段】筐体後方部材６０Ｃの後方側における基板取付部には、音声制御基板１３Ａと、基板カバー７０とが設けられている。基板取付部に形成された開口部６０Ｃ０の周縁部と音声制御基板１３Ａとの隙間は、弾性部材７１で密閉されている。弾性部材７１は、筐体後方部材６０Ｃの基板取付部に対応する所定範囲にて、筐体後方部材６０Ｃの一面と音声制御基板１３Ａとに圧接される。弾性部材７１は、開口部６０Ｃ０の外周側にあることが視認可能となる。【選択図】図５
2018196691.tif 000002
【特許請求の範囲】
【請求項１】
遊技を行うことが可能な遊技機であって、
スピーカと、
前記スピーカが装着される筐体と、
前記スピーカを制御するための制御基板とを備え、
前記制御基板は、前記筐体に形成された開口部を閉塞可能に配置され、
前記開口部の周縁部と前記制御基板との隙間が所定の部材で密閉されている、
ことを特徴とする遊技機。
【発明の詳細な説明】
【技術分野】
【０００１】
本発明は、遊技を行うことが可能な遊技機に関する。
【背景技術】
【０００２】
スピーカから音声を出力することにより、演出を実行可能な種々の遊技機が知られている。
【０００３】
こうした遊技機として、スピーカを経て挿入される不正部材の後側への進入を阻止する不正阻止部を備えたものが提案されている（例えば特許文献１）。
【先行技術文献】
【特許文献】
【０００４】
【特許文献１】特開２０１６−４３１１６号公報
【発明の概要】
【発明が解決しようとする課題】
【０００５】
上記特許文献１に記載の技術によると、スピーカのハーネスに沿った不正部材の進入による不正行為を、十分に阻止できないおそれがある。
【０００６】
この発明は、上記実状に鑑みてなされたものであり、不正行為を防止できる遊技機の提供を目的とする。
【課題を解決するための手段】
【０００７】
（１）上記目的を達成するため、本願の請求項に係る遊技機は、遊技を行うことが可能な遊技機（例えばパチンコ遊技機１など）であって、スピーカ（例えばスピーカ本体８０Ｓなど）と、前記スピーカが装着される筐体（例えばスピーカ８０Ｒの筐体６０など）と、前記スピーカを制御するための制御基板（例えば音声制御基板１３Ａなど）とを備え、前記制御基板は、前記筐体に形成された開口部（例えば開口部６０Ｃ０など）を閉塞可能に配置され、前記開口部の周縁部と前記制御基板との隙間が所定の部材（例えば弾性部材７１など）で密閉されている。
このような構成によれば、不正行為を防止できる。
【０００８】
（２）上記（１）の遊技機において、前記所定の部材は弾性部材であってもよい。
このような構成においては、密閉性が向上して不正行為を防止できる。
【０００９】
（３）上記（１）または（２）の遊技機において、前記制御基板は、前記開口部に対応して予め定められた前記筐体の取付位置にネジ止めされ（例えば図４を参照）、前記所定の部材は、前記筐体の取付位置に対応する所定範囲にて前記筐体の一面と前記制御基板とに圧接されてもよい（例えば図５を参照）。
このような構成においては、密閉性が向上して不正行為を防止できる。
【００１０】
（４）上記（１）から（３）のいずれかの遊技機において、前記所定の部材は、前記開口部の外周側にあることが視認可能であってもよい（例えば図５を参照）。
このような構成においては、密閉性の確認が容易になり不正行為を防止できる。
【図面の簡単な説明】
【００１１】
【図１】この実施の形態におけるパチンコ遊技機の正面図である。
【図２】パチンコ遊技機に搭載された各種の制御基板などを示す構成図である。
【図３】スピーカの正面図である。
【図４】スピーカの背面図である。
【図５】図４のＡ−Ａ断面を示す図と弾性部材の配置例を示す図である。
【図６】スピーカの右側面図である。
【図７】図６のＢ−Ｂ断面を示す図である。
【図８】スピーカの左側面図である。
【図９】スピーカの前部上方斜視図である。
【図１０】スピーカの後部上方斜視図である。
【図１１】スピーカユニットの背面図である。
【図１２】スピーカユニットの蓋部材取付部を拡大して示す図である。
【図１３】蓋部材の内側を拡大して示す図である。
【発明を実施するための形態】
【００１２】
図１は、本実施の形態に係るパチンコ遊技機１の正面図である。以下の説明では、図１のパチンコ遊技機１に対面して手前側を前方（前面、正面）側とし、奥側を後方（後面、背面）側とする。また、図１のパチンコ遊技機１に対面して右から左への方向をＸ方向とし、下から上への方向をＹ方向とし、後から前への方向をＺ方向とする。それぞれの逆方向は、−Ｘ方向、−Ｙ方向、−Ｚ方向とも称する。
【００１３】
パチンコ遊技機１は、遊技盤２と、遊技機用枠３とを備えている。その他、パチンコ遊技機１は、遊技機用枠３を回動可能に支持する外枠などを備えている。遊技盤２は、遊技盤面を構成するゲージ盤である。遊技機用枠２は、遊技盤２を固定する台枠である。遊技盤２には、ガイドレール２ｂなどによって囲まれた遊技領域１０が形成されている。発射装置から発射された遊技球（遊技媒体）は、発射通路２５１を通過して、遊技領域１０に打ち込まれる。遊技機用枠３には、ガラス窓５０ａを有するガラス扉枠５０が回動可能に設けられている。
【００１４】
遊技盤２の所定位置には、第１特別図柄表示装置４Ａ、第２特別図柄表示装置４Ｂ、画像表示装置５、普通入賞球装置６Ａ、普通可変入賞球装置６Ｂ、特別可変入賞球装置７、アウト口１６、普通図柄表示器２０、第１保留表示器２５Ａ、第２保留表示器２５Ｂ、普図保留表示器２５Ｃ、通過ゲート３６などが設けられている。その他、遊技領域１０における遊技盤面には、風車や多数の障害釘、一般入賞口などが設けられていればよい。遊技領域１０の周辺部には遊技効果ランプ９が設けられている。
【００１５】
遊技機用枠３の左右上部位置には第１スピーカ８１Ｒ、８１Ｌが設けられ、遊技機用枠３の左右下部位置には第２スピーカ８２Ｒ、８２Ｌが設けられ、さらにその下方には第３スピーカ８３を含むスピーカシステム８４が設けられている。遊技機用枠３の右下部位置には、打球操作ハンドル（操作ノブ）５４が設けられている。打球操作ハンドル５４は、遊技球を遊技領域１０に向けて発射するために遊技者等によって操作され、その操作量（回転量）に応じて遊技球の弾発力が調整される。遊技領域１０の下方における遊技機用枠３の所定位置には、遊技球を保持（貯留）する上皿（打球供給皿）と、上皿からの余剰球などを保持（貯留）する下皿が設けられている。下皿を形成する部材にはスティックコントローラ３１Ａが取り付けられ、上皿を形成する部材にはプッシュボタン３１Ｂが設けられている。
【００１６】
第１特別図柄表示装置４Ａ、第２特別図柄表示装置４Ｂ、画像表示装置５の画面上などでは、特別図柄や飾り図柄の可変表示が行われる。これらの可変表示は、普通入賞球装置６Ａに形成された第１始動入賞口を遊技球が通過（進入）したことによる第１始動入賞の発生に基づいて、あるいは、普通可変入賞球装置６Ｂに形成された第２始動入賞口を遊技球が通過（進入）したことによる第２始動入賞の発生に基づいて、実行可能となる。第１特別図柄表示装置４Ａと第２特別図柄表示装置４Ｂはそれぞれ、例えば７セグメントやドットマトリクスのＬＥＤ（発光ダイオード）などを用いて構成され、可変表示ゲームの一例となる特図ゲームにおいて、識別情報（特別識別情報）である特別図柄（特図）が、変動可能に表示（可変表示）される。画像表示装置５は、例えばＬＣＤ（液晶表示装置）などを用いて構成され、各種の演出画像を表示する表示領域を形成している。画像表示装置５の画面上では、特図ゲームにおける第１特別図柄表示装置４Ａによる特別図柄（第１特図）の可変表示や第２特別図柄表示装置４Ｂによる特別図柄（第２特図）の可変表示のそれぞれに対応して、例えば３つといった複数の可変表示部となる飾り図柄表示エリアにて、識別情報（装飾識別情報）である飾り図柄が可変表示される。この飾り図柄の可変表示も、可変表示ゲームに含まれる。一例として、画像表示装置５の画面上には、「左」、「中」、「右」の飾り図柄表示エリア５Ｌ、５Ｃ、５Ｒが配置されている。
【００１７】
画像表示装置５の画面上には、第１保留記憶表示エリア５Ｄと、第２保留記憶表示エリア５Ｕとが配置されている。第１保留記憶表示エリア５Ｄおよび第２保留記憶表示エリア５Ｕでは、特図ゲームに対応した可変表示の保留数（特図保留記憶数）を特定可能に表示する保留表示が行われる。保留表示は、可変表示に関する情報の保留記憶に対応して表示可能なものであればよい。第１保留記憶表示エリア５Ｄおよび第２保留記憶表示エリア５Ｕとともに、あるいは、第１保留記憶表示エリア５Ｄおよび第２保留記憶表示エリア５Ｕに代えて、第１保留表示器２５Ａと第２保留表示器２５Ｂとを用いた保留表示が行われてもよい。
【００１８】
図２は、各種基板や周辺装置などの構成例を示すブロック図である。パチンコ遊技機１には、例えば図２に示すような主基板１１、演出制御基板１２、音声制御基板１３Ａ〜１３Ｃ、ランプ制御基板１４、中継基板１５といった、各種の制御基板が搭載されている。その他にも、例えば払出制御基板、情報端子基板、発射制御基板、インタフェース基板、タッチセンサ基板などといった、各種の基板が搭載されてもよい。
【００１９】
主基板１１には、遊技制御用マイクロコンピュータ１００、スイッチ回路１１０、ソレノイド回路１１１などが搭載されている。主基板１１では、ゲートスイッチ２１、始動口スイッチ（第１始動口スイッチ２２Ａおよび第２始動口スイッチ２２Ｂ）、カウントスイッチ２３Ａ、２３Ｂ、第１検出スイッチ２４Ａ、第２検出スイッチ２４Ｂといった、各種検出用のスイッチから取り込んだ信号が、スイッチ回路１１０を介して遊技制御用マイクロコンピュータ１００に伝送される。ゲートスイッチ２１は、通過ゲート３６を通過した遊技球（ゲート通過球）を検出する。ゲートスイッチ２１によるゲート通過球の検出に基づいて、普通図柄表示器２０による普通図柄の可変表示が実行可能となる。第１始動口スイッチ２２Ａは、第１始動入賞口を通過（進入）した遊技球を検出する。第２始動口スイッチ２２Ｂは、第２始動入賞口を通過（進入）した遊技球を検出する。カウントスイッチ２３Ａ、２３Ｂは、大入賞口を通過（進入）した遊技球を検出する。第１始動入賞口や第２始動入賞口、大入賞口といった、各種の入賞口を通過した遊技球が検出された場合には、それぞれの入賞口に対応して予め個数が定められた賞球としての遊技球が払い出される。
【００２０】
主基板１１では、遊技制御用マイクロコンピュータ１００からのソレノイド駆動信号が、ソレノイド回路１１１を介して普通電動役物用のソレノイド８１や大入賞口扉用のソレノイド８２に伝送される。普通電動役物用のソレノイド８１は、普通可変入賞球装置６Ｂに形成された第２始動入賞口を遊技球が通過しにくい状態（または通過しない状態）と通過しやすい状態（または通過する状態）とに変化可能にする。大入賞口扉用のソレノイド８２は、特別可変入賞球装置７に形成された大入賞口を遊技球が通過不可能な状態と通過可能な状態とに変化可能にする。主基板１１からは、第１特別図柄表示装置４Ａ、第２特別図柄表示装置４Ｂ、普通図柄表示器２０などの表示制御を行うための指令信号が伝送される。主基板１１には、ホール管理コンピュータと通信可能な通信部４９が接続されている。
【００２１】
主基板１１に搭載された遊技制御用マイクロコンピュータ１００は、例えば１チップのマイクロコンピュータであり、遊技制御用のプログラムや固定データ等を記憶するＲＯＭ１０１と、遊技制御用のワークエリアを提供するＲＡＭ１０２と、遊技制御用のプログラムを実行して制御動作を行うＣＰＵ１０３と、ＣＰＵ１０３とは独立して乱数値を示す数値データの更新を行う乱数回路１０４と、Ｉ／Ｏ（Input/Output port）１０５とを備えて構成される。一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。主基板１１に搭載された遊技制御用マイクロコンピュータ１００では、例えば乱数回路１０４やＲＡＭ１０２の所定領域に設けられた遊技用ランダムカウンタなどにより、遊技の進行を制御するために用いられる各種の乱数値を示す数値データが更新可能にカウント（生成）される。遊技の進行を制御するために用いられる乱数は、遊技用乱数ともいう。
【００２２】
演出制御基板１２は、中継基板１５を介して主基板１１から伝送された制御信号（演出制御コマンド）の受信に基づいて、画像表示装置５、第１スピーカ８１Ｒ、８１Ｌ、第２スピーカ８２Ｒ、８２Ｌ、第３スピーカ８３および遊技効果ランプ９や装飾用ＬＥＤといった演出用の電気部品による演出動作を制御可能とする。演出制御基板１２には、演出制御用ＣＰＵ１２０やＲＯＭ１２１、ＲＡＭ１２２、表示制御部１２３、乱数回路１２４、Ｉ／Ｏ１２５などが搭載されている。音声制御基板１３Ａ〜１３Ｃは、演出制御基板１２とは別個に設けられた音声出力制御用の制御基板であり、演出制御基板１２からの指令や制御データなどに基づいて、第１スピーカ８１Ｒ、８１Ｌ、第２スピーカ８２Ｒ、８２Ｌおよび第３スピーカ８３から音声を出力させるための音声信号処理を実行する処理回路などが搭載されている。音声制御基板１３Ａは、第１スピーカ８１Ｒ、８１Ｌを制御する。音声制御基板１３Ｂは、第２スピーカ８２Ｒ、８２Ｌを制御する。音声制御基板１３Ｃは、第３スピーカ８３を制御する。音声制御基板１３Ａ、１３Ｂは、第１スピーカ８１Ｒ、８１Ｌと第２スピーカ８２Ｒ、８２Ｌとに含まれる個別のスピーカに対応して、２枚ずつの基板を含んで構成されてもよい。なお、演出制御基板１２に搭載された演出制御用ＣＰＵ１２０などが音声信号処理を実行可能であれば、音声制御基板１３Ａ〜１３Ｃに帯域フィルタや増幅回路などを搭載すればよい。ランプ制御基板１４は、演出制御基板１２とは別個に設けられたランプ出力制御用の制御基板であり、演出制御基板１２からの指令や制御データなどに基づいて、遊技効果ランプ９や装飾用ＬＥＤなどにおける点灯や消灯を行うランプドライバ回路などが搭載されている。
【００２３】
演出制御基板１２に搭載された演出制御用ＣＰＵ１２０は、ＲＯＭ１２１から読み出した演出制御用のプログラムや固定データ等を用いて、演出用の電気部品による演出動作を制御するための処理を実行する。演出制御基板１２に搭載された表示制御部１２３は、演出制御用ＣＰＵ１２０からの表示制御指令などに基づき、画像表示装置５における表示動作の制御内容を決定する。例えば、表示制御部１２３は、画像表示装置５の表示画面内に表示させる演出画像の切換タイミングを決定することなどにより、飾り図柄の可変表示や各種の演出表示を実行させるための制御を行う。
【００２４】
演出制御基板１２には、コントローラセンサユニット３５Ａと、プッシュセンサ３５Ｂとが接続されている。コントローラセンサユニット３５Ａは、傾倒方向センサと、トリガセンサとを含んでいる。傾倒方向センサは、スティックコントローラ３１Ａの操作桿に対する傾倒操作が行われたときに、複数のセンサを用いて操作桿の傾倒方向を検出可能にする。トリガセンサは、スティックコントローラ３１Ａの操作桿に設けられたトリガボタンに対する押引操作の有無を検出可能にする。すなわち、コントローラセンサユニット３５Ａにより、スティックコントローラ３１Ａの操作桿に対する傾倒動作やトリガボタンに対する押引動作といった、スティックコントローラ３１Ａを用いた遊技者の動作を検出することができる。プッシュセンサ３５Ｂにより、プッシュボタン３１Ｂに対する押下動作といった、プッシュボタン３１Ｂを用いた遊技者の動作を検出することができる。演出制御基板１２では、例えば乱数回路１２４やＲＡＭ１２２の所定領域に設けられた演出用ランダムカウンタなどにより、演出の実行を制御するために用いられる各種の乱数値を示す数値データが更新可能にカウント（生成）される。演出の実行を制御するために用いられる乱数は、演出用乱数ともいう。
【００２５】
パチンコ遊技機１においては、遊技媒体としての遊技球を用いた所定の遊技が行われ、その遊技結果に基づいて所定の遊技価値が付与可能となる。遊技球を用いた遊技の一例として、パチンコ遊技機１における遊技機用枠３の右下部位置に設けられた打球操作ハンドル５４が遊技者によって所定操作（例えば回転操作）されたことに基づいて、所定の打球発射装置が備える発射モータなどにより、遊技媒体としての遊技球が遊技領域１０に向けて発射される。遊技領域１０を流下した遊技球が、各種の入賞口を通過（進入）した場合に、賞球としての遊技球が払い出される。特別図柄や飾り図柄の可変表示結果が「大当り」となった場合には、大入賞口が開放されて遊技球が通過（進入）しやすい状態となることで、遊技者にとって有利な有利状態としての大当り遊技状態となる。
【００２６】
有利状態は大当り遊技状態に限定されず、時短状態や確変状態といった特別遊技状態が含まれてもよい。その他、大当り遊技状態にて実行可能なラウンド遊技の上限回数が第２ラウンド数（例えば「７」）よりも多い第１ラウンド数（例えば「１５」）となること、時短状態にて実行可能な可変表示の上限回数が第２回数（例えば「５０」）よりも多い第１回数（例えば「１００」）となること、確変状態における大当り確率が第２確率（例えば１／５０）よりも高い第１確率（例えば１／２０）となること、通常状態に制御されることなく大当り遊技状態に繰り返し制御される回数である連チャン回数が第２連チャン数（例えば「５」）よりも多い第１連チャン数（例えば「１０」）となることの一部または全部といった、遊技者にとってより有利な遊技状況となることが含まれていてもよい。
【００２７】
次に、スピーカ８０Ｒの構成例を説明する。スピーカ８０Ｒは、第１スピーカ８１Ｒ、８１Ｌに含まれるスピーカ８１Ｒや、第２スピーカ８２Ｒ、８２Ｌに含まれるスピーカ８２Ｒとして、使用することができればよい。第１スピーカ８１Ｒ、８１Ｌに含まれるスピーカ８１Ｌや、第２スピーカ８２Ｒ、８２Ｌに含まれるスピーカ８２Ｌは、スピーカ８０Ｒと左右対称に構成されたスピーカを使用することができればよい。図３は、スピーカ８０Ｒの正面図である。図４は、スピーカ８０Ｒの背面図である。図５（Ａ）は、図４のＡ−Ａ断面を示す図であり、図５（Ｂ）は、弾性部材７１の配置例を示す図である。図６は、スピーカ８０Ｒの右側面図である。図７は、図６に示すＢ−Ｂ断面を示す図である。図８は、スピーカ８０Ｒの左側面図である。図９は、スピーカ８０Ｒの前部上方斜視図である。図１０は、スピーカ８０Ｒの後部上方斜視図である。
【００２８】
スピーカ８０Ｒの前方側には、前面カバー部材６０Ａが設けられる。前面カバー部材６０Ａは、固定ネジ６１Ａ〜６１Ｄを用いて、図６や図８に示すスピーカ８０Ｒの筐体（エンクロージャ）６０にネジ止めされていればよい。前面カバー部材６０Ａは、例えばアクリル樹脂といった合成樹脂を用いて形成される。前面カバー部材６０Ａには、スピーカ本体８０Ｓの前方側にて、スピーカ本体８０Ｓからの良好な透音性を確保するために多数の貫通孔が設けられていればよい。なお、合成樹脂はアクリル樹脂に限定されず、ＡＢＳ（アクリロニトリル・ブタジエン・スチレン）樹脂やポリプロピレン樹脂、ポリエチレン樹脂、その他に任意の合成樹脂を用いたものであればよい。また、前面カバー部材６０Ａは、合成樹脂を用いて形成されたものに限定されず、例えばパンチングメタルやエキスパンドメタルといった、金属を用いて形成されたものであってもよい。
【００２９】
前面カバー部材６０Ａは、光の透過性を有して透視可能な合成樹脂を用いて形成されていればよい。これにより、前面カバー部材６０Ａを取り外すことなく、スピーカ本体８０Ｓなどを目視可能とし、スピーカ８０Ｒに対する不正行為を容易に確認することができる。前面カバー部材６０Ａにて、固定ネジ６１Ａ〜６１Ｄが挿し込まれるネジ穴周辺は、曲面仕上げが施されていてもよい。これにより、引掛け部材などの不正工具を用いた不正行為を防止できればよい。
【００３０】
スピーカ８０Ｒの筐体６０は、筐体前方部材６０Ｂと筐体後方部材６０Ｃとを、筐体接合部６０Ｄにて嵌め合わせて一体構成としたものであればよい。筐体前方部材６０Ｂと筐体後方部材６０Ｃは、前面カバー部材６０Ａと同様に、例えばアクリル樹脂といった合成樹脂を用いて形成されるものであればよい。筐体前方部材６０Ｂと筐体後方部材６０Ｃは、前面カバー部材６０Ａと同様に、筐体６０の内部を透視可能な合成樹脂を用いて形成されていればよい。これにより、筐体前方部材６０Ｂと筐体後方部材６０Ｃとを分離することなく、筐体６０の内部を目視可能とし、スピーカ８０Ｒに対する不正行為を容易に確認することができる。スピーカ本体８０Ｓは、前面カバー部材６０Ａの後方側にて、前面カバー部材６０Ａとともにネジ止めされることにより、筐体６０に装着される。
【００３１】
第１スピーカ８１Ｒ、８１Ｌに含まれるスピーカ８１Ｒとしてスピーカ８０Ｒが用いられる場合、筐体６０の内部には、前方側と後方側とで対向する側面のうち、前方側となる一方の側面にスピーカ本体８０Ｓが配置され、後方側となる他方の側面に音声制御基板１３Ａが配置される。第２スピーカ８２Ｒ、８２Ｌに含まれるスピーカ８２Ｒとしてスピーカ８０Ｒが用いられる場合、筐体６０の内部には、前方側と後方側とで対向する側面のうち、前方側となる一方の側面にスピーカ本体８０Ｓが配置され、後方側となる他方の側面に音声制御基板１３Ｂが配置されればよい。以下、第２スピーカ８２Ｒ、８２Ｌに含まれるスピーカ８２Ｒとしてスピーカ８０Ｒが用いられる場合の音声制御基板１３Ｂは、第１スピーカ８１Ｒ、８１Ｌに含まれるスピーカ８１Ｒとしてスピーカ８０Ｒが用いられる場合の音声制御基板１３Ａと同様の特徴を有している。
【００３２】
図４に示す筐体後方部材６０Ｃにて、音声制御基板１３Ａが取り付けられる基板取付部には、筐体６０の内部と外部を貫通する開口部６０Ｃ０（例えば図６を参照）が形成されている。筐体６０の内部には、前方側と後方側とで対向する側面のうち、前方側となる一方の側面にスピーカ本体８０Ｓが配置され、後方側となる他方の側面に開口部６０Ｃ０が形成される。筐体後方部材６０Ｃには、溝部６０ＣＡ、６０ＣＢ、６０ＣＣ、６０ＣＤが形成されている。これにより、筐体後方部材６０Ｃの剛性や音響特性を向上させ、不要振動などに起因する異常音の発生を低減できればよい。筐体後方部材６０Ｃの後方端には、筐体固定部材６３Ａ、６３Ｂが設けられている。
【００３３】
図４に示す筐体後方部材６０Ｃの後方側における基板取付部には、音声制御基板１３Ａと、基板カバー７０とが設けられている。図４に示す音声制御基板１３Ａは、基板カバー７０に収容され、固定ネジ７２Ａ〜７２Ｃを用いて、筐体後方部材６０Ｃにネジ止めされていればよい。図４に示す筐体後方部材６０Ｃの後方側における基板取付部にて、開口部６０Ｃ０の周縁部と音声制御基板１３Ａとの隙間は、弾性部材７１で密閉されている。
【００３４】
弾性部材７１は、図４に示す音声制御基板１３Ａや基板カバー７０が固定ネジ７２Ａ〜７２Ｃを用いてネジ止めされるときに変形可能であり、筐体６０を構成する筐体前方部材６０Ｂおよび筐体後方部材６０Ｃや、音声制御基板１３Ａよりも、柔らかい素材を用いて形成されていればよい。例えば、弾性部材７１は、ウレタン樹脂といった合成樹脂あるいはスチレンブタジエンゴムといった合成ゴムを用いて形成される。なお、弾性部材７１を形成する合成樹脂はウレタン樹脂に限定されず、ポリプロピレン樹脂、ナイロン樹脂、ＥＶＡ（エチレンビニルアセテート）樹脂、シリコン樹脂、その他に任意の合成樹脂を用いたものであればよい。また、弾性部材７１を形成する合成ゴムはスチレンブタジエンゴムに限定されず、クロロプレンゴム、エチレンプロピレンゴム、フッ素ゴム、その他に任意の合成ゴムを用いたものであればよい。
【００３５】
筐体後方部材６０Ｃの基板取付部では、音声制御基板１３Ａや基板カバー７０が固定ネジ７２Ａ〜７２Ｃを用いてネジ止めされたときに、弾性部材７１における一方の主面（表裏面の一方）が開口部６０Ｃ０の周縁部において筐体後方部材６０Ｃの外面に密着し、弾性部材７１における他方の主面（表裏面の他方）が音声制御基板１３Ａの一面（実装面）に密着すればよい。このように、弾性部材７１は、筐体後方部材６０Ｃの基板取付部に対応する所定範囲にて、筐体６０を構成する筐体後方部材６０Ｃの一面と音声制御基板１３Ａとに圧接されるようにすればよい。また、例えば図５（Ｂ）にてハッチングを付して示す弾性部材７１は、一点鎖線で示す音声制御基板１３Ａよりも一回り（具体的には数ミリ程度）大きく形成され、点線で示す基板カバー７０と同程度の大きさに形成されていればよい。基板カバー７０は、筐体前方部材６０Ｂや筐体後方部材６０Ｃと同様に、例えばアクリル樹脂といった合成樹脂を用いて形成され、カバー内部を透視可能な合成樹脂を用いて形成されていればよい。これにより、弾性部材７１は、筐体後方部材６０Ｃに形成された開口部６０Ｃ０の外周側にあることが視認可能となり、開口部６０Ｃ０の周縁部と音声制御基板１３Ａとの隙間における密閉性の確認が容易になる。開口部６０Ｃ０の周縁部と音声制御基板１３Ａとの隙間における密閉性の確認が容易になることで、スピーカ８０Ｒに対する不正行為を防止できる。
【００３６】
筐体後方部材６０Ｃにおける筐体内側には、スピーカ本体８０Ｓの中心軸線との交点を中心に、正方形の隆起部６４が設けられている。隆起部６４は、図４にて点線で示す２つの正方形のうち、内側の小さい正方形と外側の大きい正方形とで囲まれた領域が、内側の小さい正方形内の領域や、外側の大きい正方形外の領域よりも隆起するように、筐体後方部材６０Ｃが盛り上げられて形成されている。隆起部６４の中心は、スピーカ本体８０Ｓの中心軸線上となるように配置される。このように、筐体後方部材６０Ｃにおける筐体内側には隆起部６４が設けられ、スピーカ本体８０Ｓの中心軸線が開口部６０Ｃ０を通過しないように配置されていればよい。これにより、スピーカ８０Ｒの内部における空気の流れを調整可能とし、気柱共鳴などの異常共鳴を防止して、スピーカ８０Ｒの音響特性を向上させ、異常音の発生を低減できればよい。
【００３７】
図４に示す音声制御基板１３Ａや基板カバー７０は、筐体後方部材６０Ｃに形成された開口部６０Ｃ０よりも広範囲を被覆可能な面積を有している。したがって、音声制御基板１３Ａや基板カバー７０が固定ネジ７２Ａ〜７２Ｃを用いてネジ止めされることにより、開口部６０Ｃ０を閉塞することができる。このように、音声制御基板１３Ａは、筐体６０を構成する筐体後方部材６０Ｃに形成された開口部６０Ｃ０を閉塞可能に配置される。
【００３８】
弾性部材７１は、筐体後方部材６０Ｃと音声制御基板１３Ａとに密着するところ、音声制御基板１３Ａや基板カバー７０と同程度または略同程度の大きさに形成されている。これにより、開口部６０Ｃ０の周縁部と音声制御基板１３Ａとの隙間を確実に密閉して、不正工具を挿し込むことなどによる不正行為を防止できればよい。なお、弾性部材７１は、端部が基板カバー７０から露出する程度の大きさに形成されてもよい。これにより、開口部６０Ｃ０の周縁部と音声制御基板１３Ａとの隙間における密閉性の確認が容易になる。あるいは、弾性部材７１は、端部が基板カバー７０の内部に収容される程度の大きさに形成されてもよい。この場合でも、基板カバー７０が内部を透視可能な合成樹脂を用いて形成されることで、開口部６０Ｃ０の周縁部と音声制御基板１３Ａとの隙間における密閉性を確認できればよい。筐体後方部材６０Ｃには、基板カバー７０の形状に沿った溝部が形成されてもよい。音声制御基板１３Ａや基板カバー７０が固定ネジ７２Ａ〜７２Ｃを用いてネジ止めされたときに、この溝部には、弾性部材７１が変形して詰め込まれてもよい。これにより、開口部６０Ｃ０の周縁部と音声制御基板１３Ａとの隙間を確実に密閉できればよい。
【００３９】
弾性部材７１は、例えば接着剤を用いて、開口部６０Ｃ０の周縁部および音声制御基板１３Ａの一方または双方に接着されてもよい。弾性部材７１を取り付けるときには、弾性部材７１における一方の主面（表裏面の一方）が開口部６０Ｃ０の周縁部において筐体後方部材６０Ｃの外面に取り付けられた後に、弾性部材７１における他方の主面（表裏面の他方）が音声制御基板１３Ａの一面（実装面）に取り付けられてもよい。あるいは、弾性部材７１における一方の主面（表裏面の一方）が音声制御基板１３Ａの一面（実装面）に取り付けられた後に、弾性部材７１における他方の主面（表裏面の他方）が開口部６０Ｃ０の周縁部において筐体後方部材６０Ｃの外面に取り付けられてもよい。このように、弾性部材７１の取付順序は、任意に設定可能であればよい。
【００４０】
図５（Ａ）に示すように、基板カバー７０には、凹部７０Ａ、７０Ｂが設けられ、音声制御基板１３Ａのハンダ面における突出部分が接触しないように形成されている。音声制御基板１３Ａは、各種の電気部品を同一面に実装した片面実装基板であればよい。例えば、音声制御基板１３Ａでは、内部配線７４に結合されたコネクタプラグが挿し込まれるコネクタポート７３Ａと、外部配線に結合されたコネクタプラグが挿し込まれるコネクタポート７３Ｂとが、他の電気部品と同一面に実装されている。片面実装基板とすることにより、コネクタポート７３Ａ、７３Ｂや他の電気部品を実装する際のハンダ付けが容易になり、基板の製造負担を軽減することができる。なお、音声制御基板１３Ａは、片面実装基板であるものに限定されず、一部の電気部品が同一面に実装され、他の電気部品が他面に実装される両面実装基板であってもよい。例えば、外部配線に結合されたコネクタプラグが挿し込まれるコネクタポート７３Ｂは、コネクタポート７３Ａや他の電気部品が実装された基板面の裏面となる他の一面に実装されてもよい。
【００４１】
音声制御基板１３Ａは、例えばガラスエポキシなどの合成樹脂を用いて形成されている。音声制御基板１３Ａは、例えば筐体前方部材６０Ｂや筐体後方部材６０Ｃよりも耐熱性の高い素材を用いて形成されてもよい。あるいは、音声制御基板１３Ａは、例えば筐体前方部材６０Ｂや筐体後方部材６０Ｃよりも強度が高い素材を用いて形成されてもよい。これにより、不正部材を用いて音声制御基板１３Ａを突き破ることが困難になり、不正行為を確実に防止することができる。
【００４２】
筐体後方部材６０Ｃの基板取付部では、音声制御基板１３Ａや基板カバー７０が固定ネジ７２Ａ〜７２Ｃを用いてネジ止めされたときに、コネクタポート７３Ａが筐体６０の内部（筐体内側）に設けられ、コネクタポート７３Ｂが筐体６０の外部（筐体外側）に設けられるように、筐体後方部材６０Ｃによる仕切りが配置される。コネクタポート７３Ａは、筐体後方部材６０Ｃに形成された開口部６０Ｃ０にて、筐体内側に露出する。コネクタポート７３Ｂは、筐体後方部材６０Ｃに形成された開口部６０Ｃ１にて、筐体外側に露出する。コネクタポート７３Ａには、内部配線７４に結合されたコネクタプラグが挿し込まれる。内部配線７４は、音声制御基板１３Ａとスピーカ本体８０Ｓとを電気的に接続する。コネクタポート７３Ｂには、外部配線に結合されたコネクタプラグが挿し込まれる。外部配線は、音声制御基板１３Ａと演出制御基板１２とを電気的に接続するハーネスなどであればよい。このように、筐体６０を構成する筐体後方部材６０Ｃには、音声制御基板１３Ａに設けられた内部配線用のコネクタポート７３Ａを筐体内部に露出させる開口部６０Ｃ０と、音声制御基板１３Ａに設けられた外部配線用のコネクタポート７３Ｂを筐体外部に露出させる開口部６０Ｃ１とが設けられていればよい。
【００４３】
筐体後方部材６０Ｃには、コネクタポート７３Ｂの付近に、コネクタ挿抜用の凹部として、筐体後方部材６０Ｃを筐体内側に湾曲させて形成されたコネクタ取付部６０ＣＦが設けられている。コネクタ取付部６０ＣＦは、コネクタポート７３Ｂの周辺部にて、例えば人の親指を入れられる程度の大きさを有していればよい。これにより、コネクタポート７３Ｂに外部配線のコネクタプラグを挿し込んだり抜き取ったりするときに、挿抜操作が容易になる。
【００４４】
筐体後方部材６０Ｃの基板取付部には、固定ネジ７２Ａ〜７２Ｃと螺合するネジ穴が形成されている。これらのネジ穴は、中空円筒形状を有し、ネジ穴の底面が筐体後方部材６０Ｃにより閉塞されている。これにより、筐体６０の内部から筐体後方部材６０Ｃの基板取付部に形成されたネジ穴に針金などを挿し込むことは、筐体後方部材６０Ｃによって阻止されるので、たとえ固定ネジ７２Ａ〜７２Ｃのいずれかが外れたとしても、不正部材を挿し込むことなどによる不正行為を確実に防止することができる。
【００４５】
筐体後方部材６０Ｃの基板取付部にて音声制御基板１３Ａや基板カバー７０などをネジ止めした場合に、固定ネジ７２Ａ〜７２Ｃは、ネジ穴を形成する筐体後方部材６０Ｃなどによって電気的に絶縁された状態になればよい。これにより、音声制御基板１３Ａが電気的に破壊されることを防止できればよい。
【００４６】
筐体後方部材６０Ｃにて、筐体内側には、溝部６０ＣＡの前方端にボス６５Ａが設けられ、溝部６０ＣＢの前方端にボス６５Ｂが設けられ、溝部６０ＣＣの前方端にボス６５Ｃが設けられ、溝部６０ＣＤの前方端にボス６５Ｄが設けられている。ボス６５Ａ〜６５Ｄはいずれも、筐体接合部６０Ｄよりも前方側まで延伸するように配置されている。ボス６５Ａには固定ネジ６１Ａと螺合するネジ穴が形成され、ボス６５Ｂには固定ネジ６１Ｂと螺合するネジ穴が形成され、ボス６５Ｃには固定ネジ６１Ｃと螺合するネジ穴が形成され、ボス６５Ｄには固定ネジ６１Ｄと螺合するネジ穴が形成されている。ボス６５Ａ〜６５Ｄの根元では、中空円筒形状を有するネジ穴の底面が筐体後方部材６０Ｃにより閉塞されている。これにより、固定ネジ６１Ａ〜６１Ｄのいずれかを取り外した場合に、ネジ穴に針金などを挿し込んでも筐体後方部材６０Ｃによって阻止されるので、不正部材を挿し込むことなどによる不正行為を確実に防止することができる。ボス６５Ａ〜６５Ｄは、根元が溝部６０ＣＡなどの前方端に固定されている。これにより、ボス６５Ａ〜６５Ｄの強度を高めて、物理的に破壊される可能性や頻度を低減できればよい。
【００４７】
スピーカ８０Ｒには、筐体６０の内部に、バスレフ用のダクト６２が設けられている。ダクト６２は、例えばスピーカ本体８０Ｓの上方にて、延伸方向に沿った直線が開口部６０Ｃ０を通過しないように配置されている。例えば、ダクト６２は、延伸方向が開口部６０Ｃ０の位置とは左右方向（Ｘ方向または−Ｘ方向）にずれた位置となるように設けられていればよい。あるいは、ダクト６２は、延伸方向が開口部６０Ｃ０の位置とは上下方向（Ｙ方向または−Ｙ方向）にずれた位置となるように設けられてもよい。あるいは、ダクト６２は、延伸方向が開口部６０Ｃ０の位置とは斜め方向（Ｘ方向または−Ｘ方向とＹ方向または−Ｙ方向との組合せ）にずれた位置となるように設けられてもよい。
【００４８】
筐体後方部材６０Ｃには、基板取付部をダクト６２の後方側よりも前出し状態で配置するための段差が設けられている。ダクト６２の内部を通る任意の直線は、筐体後方部材６０Ｃに設けられた段差よりも基板取付部の側を通過することがないように、ダクト６２および段差が配置されていればよい。このように配置することで、ダクト６２に不正部材を挿し込むことなどによる不正行為を防止できればよい。
【００４９】
ダクト６２は、例えば一端が筐体前方部材６０Ｂの前方側に取り付けられ、他端が筐体接合部６０Ｄよりも後方側まで延伸するように設置されている。これにより、ダクト６２に不正部材が挿し込まれたとしても、筐体接合部６０Ｄに不正部材を到達させることが困難になり、筐体接合部６０Ｄをこじ開ける不正行為を確実に防止することができる。
【００５０】
筐体接合部６０Ｄでは、例えば図７に示すように、筐体前方部材６０Ｂと筐体後方部材６０Ｃとが、筐体６０の連続する内面（筐体内面）および外面（筐体外面）を形成している。また、筐体接合部６０Ｄでは、筐体前方部材６０Ｂの接合外面と筐体後方部材６０Ｃの接合内面とが対向する。筐体接合部６０Ｄにおいて、筐体前方部材６０Ｂの接合内面は、筐体接合部６０Ｄ以外の筐体内面と連続する１つの面状に形成される連続面となっており、筐体後方部材６０Ｃの接合外面は、筐体接合部６０Ｄ以外の筐体外面と連続する１つの面状に形成される連続面となっている。その一方で、筐体接合部６０Ｄにおいて、筐体前方部材６０Ｂの接合外面は、前方側から後方側に向かって厚みが減少するように勾配が形成され、筐体後方部材６０Ｃの接合内面は、後方側から前方側に向かって厚みが減少するように勾配が形成されている。そして、筐体前方部材６０Ｂの接合部と筐体後方部材６０Ｃの接合部とが弾性部材６６を挟み込み、筐体後方部材６０Ｃの接合部における内周が筐体前方部材６０Ｂの接合部における外周を覆うように、筐体後方部材６０Ｃの接合部が筐体前方部材６０Ｂの接合部を被せ込んで接合する。接合後には、筐体接合部６０Ｄにおいて、筐体前方部材６０Ｂと筐体後方部材６０Ｃとが段差のない（または段差が微少な）筐体内面および筐体外面を構成できればよい。これにより、スピーカ８０Ｒの前方側から筐体６０の内部に不正部材が挿入された場合でも、筐体接合部６０Ｄに不正部材を差し込むことは困難になり、筐体接合部６０Ｄをこじ開ける不正行為の確実な防止が可能になる。
【００５１】
弾性部材６６は、例えばリング状に形成され、筐体前方部材６０Ｂと筐体後方部材６０Ｃとを嵌め合わせるときに変形可能であり、筐体６０を構成する筐体前方部材６０Ｂや筐体後方部材６０Ｃなどよりも、柔らかい素材を用いて形成されていればよい。例えば、弾性部材６６は、弾性部材７１と同様に、ウレタン樹脂といった合成樹脂あるいはスチレンブタジエンゴムといった合成ゴムを用いて形成されてもよい。あるいは、弾性部材６６は、弾性部材７１とは異なる合成樹脂や合成ゴムなどを用いて構成されてもよい。弾性部材６６は、筐体前方部材６０Ｂと筐体後方部材６０Ｃとを嵌め合わせたときに、筐体接合部６０Ｄにおいて、筐体前方部材６０Ｂの接合外面と筐体後方部材６０Ｃの接合内面とに密着すればよい。なお、弾性部材６６は、筐体接合部６０Ｄから露出する程度の大きさに形成されてもよい。これにより、筐体接合部６０Ｄにおける密閉性の確認が容易になればよい。あるいは、弾性部材６６は、筐体前方部材６０Ｂの接合外面と筐体後方部材６０Ｃの接合内面との隙間に全体が収容される程度の大きさに形成されてもよい。この場合でも、筐体６０を構成する筐体前方部材６０Ｂや筐体後方部材６０Ｃが内部を透視可能な合成樹脂を用いて構成されることで、筐体接合部６０Ｄにおける密閉性を確認できればよい。
【００５２】
図７に示すような筐体後方部材６０Ｃの接合部が筐体前方部材６０Ｂの接合部を被せ込んで接合するものに限定されず、筐体前方部材６０Ｂの接合部が筐体後方部材６０Ｃの接合部を被せ込んで接合するものであってもよい。筐体前方部材６０Ｂと筐体後方部材６０Ｃとは、固定ネジ６１Ａ〜６１Ｄをボス６５Ａ〜６５Ｄのネジ穴に螺合させることにより固定される。これに代えて、例えば筐体前方部材６０Ｂおよび筐体後方部材６０Ｃの一方または双方に係止片を設けて、筐体前方部材６０Ｂと筐体後方部材６０Ｃとを係止片により固定するものであってもよい。
【００５３】
次に、スピーカユニット８４の構成例を説明する。図１１は、スピーカユニット８４の背面図である。図１２は、スピーカユニット８４の蓋部材取付部を拡大して示す図である。図１３は、蓋部材８４Ａの内側を拡大して示す図である。
【００５４】
図１１に示すスピーカユニット８４の背面にて、音声制御基板１３Ｃが取り付けられる基板取付部には、蓋部材８４Ａが固定ネジ８５Ａ〜８５Ｃを用いてネジ止めされていればよい。蓋部材８４Ａには、位置決めなどに用いられる突起部８４Ａ０が形成されている。固定ネジ８５Ａ〜８５Ｃを外した場合に、蓋部材８４Ａの内部には、図１２などに示すように、音声制御基板１３Ｃが取り付けられている。スピーカユニット８４の背面にて、蓋部材８４Ａで被覆される基板取付部には、スピーカユニット８４の筐体内部と筐体外部とを貫通する開口部８４０が形成されている。スピーカユニット８４の筐体内部には、前方側と後方側とで対向する側面のうち、前方側となる一方の側面に第３スピーカ８３が配置され、後方側となる他方の側面に音声制御基板１３Ｃが配置される。
【００５５】
音声制御基板１３Ｃは、例えば蓋部材８４Ａにネジ止めされていればよい。スピーカユニット８４の背面における基板取付部にて、開口部８４０の周縁部と音声制御基板１３Ｃとの隙間は、弾性部材８７で密閉されている。弾性部材８７は、音声制御基板１３Ｃや蓋部材８４Ａが固定ネジ８５Ａ〜８５Ｃを用いてネジ止めされるときに変形可能であり、スピーカユニット８４の筐体よりも、柔らかい素材を用いて形成されていればよい。例えば、弾性部材８７は、弾性部材７１や弾性部材６６と同様に、ウレタン樹脂といった合成樹脂あるいはスチレンブタジエンゴムといった合成ゴムを用いて形成されてもよい。あるいは、弾性部材８７は、弾性部材７１や弾性部材６６とは異なる合成樹脂や合成ゴムなどを用いて構成されてもよい。音声制御基板１３Ｃや蓋部材８４Ａが固定ネジ８５Ａ〜８５Ｃを用いてネジ止めされたときに、弾性部材８７における一方の主面（表裏面の一方）が開口部８４０の周縁部においてスピーカユニット８４の筐体外面に密着し、弾性部材８７における他方の主面（表裏面の他方）が音声制御基板１３Ｃの一面（実装面）に密着すればよい。
【００５６】
音声制御基板１３Ｃや蓋部材８４Ａは、スピーカユニット８４の背面に形成された開口部８４０よりも広範囲を被覆可能な面積を有している。したがって、音声制御基板１３Ｃや蓋部材８４Ａが固定ネジ８５Ａ〜８５Ｃを用いてネジ止めされることにより、開口部８４０を閉塞することができる。このように、音声制御基板１３Ｃは、スピーカユニット８４の筐体に形成された開口部８４０を閉塞可能に配置される。
【００５７】
弾性部材８７は、スピーカユニット８４の筐体外面と音声制御基板１３Ｃとに密着するところ、音声制御基板１３Ｃと同程度または略同程度の大きさに形成されている。これにより、開口部８４０の周縁部と音声制御基板１３Ｃとの隙間を確実に密閉して、不正工具を挿し込むことなどによる不正行為を防止できればよい。スピーカユニット８４の筐体外面には、音声制御基板１３Ｃの形状に沿った溝部が形成されてもよい。音声制御基板１３Ｃや蓋部材８４Ａが固定ネジ８５Ａ〜８５Ｃを用いてネジ止めされたときに、この溝部には、弾性部材８７が変形して詰め込まれてもよい。これにより、開口部８４０の周縁部と音声制御基板１３Ｃとの隙間を確実に密閉できればよい。
【００５８】
弾性部材８７は、例えば接着剤を用いて、開口部８４０の周縁部および音声制御基板１３Ｃの一方または双方に接着されてもよい。図１２に示す場合では、弾性部材８７が開口部８４０の周縁部に接着されている。弾性部材８７を取り付けるときには、弾性部材８７における一方の主面（表裏面の一方）が開口部８４０の周縁部においてスピーカユニット８４の筐体外面に取り付けられた後に、弾性部材８７における他方の主面（表裏面の他方）が音声制御基板１３Ｃの一面（実装面）に取り付けられてもよい。あるいは、弾性部材８７における一方の主面（表裏面の一方）が音声制御基板１３Ｃの一面（実装面）に取り付けられた後に、弾性部材８７における他方の主面（表裏面の他方）が開口部８４０の周縁部においてスピーカユニット８４の筐体外面に取り付けられてもよい。このように、弾性部材８７の取付順序は、任意に設定可能であればよい。
【００５９】
音声制御基板１３Ｃは、各種の電気部品を同一面に実装した片面実装基板であればよい。例えば、音声制御基板１３Ｃでは、内部配線９１Ａに結合されたコネクタプラグ９０Ｇが挿し込まれるコネクタポート９０Ｔが、他の電気部品と同一面に実装されている。外部配線９１Ｂは、音声制御基板１３Ｃに直接ハンダ付けされていればよい。あるいは、外部配線に結合されたコネクタプラグが挿し込まれるコネクタポートが、コネクタポート９０Ｔや他の電気部品と同一面に実装されてもよい。片面実装基板とすることにより、コネクタポート９０Ｔや他の電気部品を実装する際のハンダ付けが容易になり、基板の製造負担を軽減することができる。なお、音声制御基板１３Ｃは、片面実装基板であるものに限定されず、一部の電気部品が同一面に実装され、他の電気部品が他面に実装される両面実装基板であってもよい。
【００６０】
音声制御基板１３Ｃは、例えばガラスエポキシなどの合成樹脂を用いて形成されている。音声制御基板１３Ｃは、例えばスピーカユニット８４の筐体よりも耐熱性の高い素材を用いて形成されてもよい。あるいは、音声制御基板１３Ｃは、例えばスピーカユニット８４の筐体よりも強度が高い素材を用いて形成されてもよい。これにより、不正部材を用いて音声制御基板１３Ｃを突き破ることが困難になり、不正行為を確実に防止することができる。
【００６１】
スピーカユニット８４の背面における基板取付部では、音声制御基板１３Ｃや蓋部材８４Ａが固定ネジ８５Ａ〜８５Ｃを用いてネジ止めされたときに、コネクタポート９０Ｔがスピーカユニット８４の筐体内部に設けられ、外部配線９１Ｂがスピーカユニット８４の筐体外部に引出し可能となるように、スピーカユニット８４の筐体による仕切りが配置される。コネクタポート９０Ｔは、スピーカユニット８４の背面に形成された開口部８４０にて、筐体内側に露出する。外部配線９１Ｂは、スピーカユニット８４の背面に形成された開口部８４１を介して、筐体外側に引き出される。コネクタポート９０Ｔには、内部配線９１Ａに結合されたコネクタプラグ９０Ｇが挿し込まれる。内部配線９１Ａは、音声制御基板１３Ｃと第３スピーカ８３とを電気的に接続する。外部配線９１Ｂは、音声制御基板１３Ｃと演出制御基板１２とを電気的に接続する。このように、スピーカユニット８４の筐体には、音声制御基板１３Ｃに設けられた内部配線用のコネクタポート９０Ｔを筐体内部に露出させる開口部８４０と、音声制御基板１３Ｃに取り付けられた外部配線９１Ｂを筐体外部に引出し可能な開口部８４１とが設けられていればよい。
【００６２】
スピーカユニット８４の背面における基板取付部には、固定ネジ８５Ａ〜８５Ｃと螺合するネジ穴８６Ａ〜８６Ｃが形成されている。これらのネジ穴は、中空円筒形状を有し、ネジ穴の底面がスピーカユニット８４の筐体により閉塞されている。これにより、スピーカユニット８４の前方側からネジ穴８６Ａ〜８６Ｃに針金などを挿し込むことは、スピーカユニット８４の筐体によって阻止されるので、たとえ固定ネジ８５Ａ〜８５Ｃのいずれかが外れたとしても、不正部材を挿し込むことなどによる不正行為を確実に防止することができる。
【００６３】
スピーカユニット８４の背面における基板取付部にて音声制御基板１３Ｃや蓋部材８４Ａなどをネジ止めした場合に、固定ネジ８５Ａ〜８５Ｃは、ネジ穴８６Ａ〜８６Ｃを形成するスピーカユニット８４の筐体などによって電気的に絶縁された状態になればよい。これにより、音声制御基板１３Ｃが電気的に破壊されることを防止できればよい。
【００６４】
この発明は上記の実施の形態に限定されず、様々な変形および応用が可能である。例えばパチンコ遊技機１は、上記実施の形態で示した全ての技術的特徴を備えるものでなくてもよく、従来技術における少なくとも１つの課題を解決できるように、上記実施の形態で説明した一部の構成を備えたものであってもよい。より具体的に、上記の実施の形態では、開口部６０Ｃ０の周縁部と音声制御基板１３Ａとの隙間が弾性部材７１で密閉されるとともに、筐体６０の内部には、前方側と後方側とで対向する側面のうち、前方側となる一方の側面にスピーカ本体８０Ｓが配置され、後方側となる他方の側面に開口部６０Ｃ０が形成されるものとして説明した。これに対し、開口部６０Ｃ０の周縁部と音声制御基板１３Ａとの隙間が弾性部材７１で密閉される一方で、開口部６０Ｃは、スピーカ本体８０Ｓが配置される一方の側面と対向する他方の側面とは異なる側面などに形成されてもよい。あるいは、スピーカ本体８０Ｓが配置される一方の側面と対向する他方の側面に開口部６０Ｃが形成される一方で、開口部６０Ｃ０の周縁部と音声制御基板１３Ａとの隙間が弾性部材７１で密閉されなくてもよい。
【００６５】
スピーカ８０Ｒやスピーカユニット８４は、前面スピーカとして使用されるものに限定されず、例えば底面スピーカとして使用されるものであってもよい。
【００６６】
開口部６０Ｃ０を閉塞可能な制御基板は、音声制御基板１３Ａといった多数の電気部品が搭載されたものに限定されず、例えばコネクタポート７３Ａとコネクタポート７３Ｂ、これらを電気的に接続するプリント配線などが搭載された単純な基板であってもよい。
【００６７】
開口部６０Ｃ０の周縁部と音声制御基板１３Ａとの隙間を密閉する部材は、弾性部材７１に限定されず、例えば乾燥により硬化する接着剤といった、固形部材が用いられてもよい。あるいは、開口部６０Ｃ０の周縁部では、例えば筐体後方部材６０Ｃを音声制御基板１３Ａに溶接することで、開口部６０Ｃ０の周縁部と音声制御基板１３Ａとの隙間が密閉されてもよい。
【００６８】
本発明は、パチンコ遊技機１に限らずスロットマシンなどにも適用できる。スロットマシンは、例えば複数種類の識別情報となる図柄の可変表示といった所定の遊技を行い、その遊技結果に基づいて所定の遊技価値を付与可能となる任意の遊技機であり、より具体的に、１ゲームに対して所定の賭数（メダル枚数またはクレジット数）を設定することによりゲームが開始可能になるとともに、各々が識別可能な複数種類の識別情報（図柄）を可変表示する可変表示装置（例えば複数のリールなど）の表示結果が導出表示されることにより１ゲームが終了し、その表示結果に応じて入賞（例えばチェリー入賞、スイカ入賞、ベル入賞、リプレイ入賞、ＢＢ入賞、ＲＢ入賞など）が発生可能とされた遊技機である。このようなスロットマシンにおいて、遊技制御を行うための遊技制御用マイクロコンピュータを含めたハードウェア資源と、所定の処理を行うソフトウェアとが協働することにより、上記実施の形態で示されたパチンコ遊技機１が有する特徴の全部または一部を備えるように構成されていればよい。
【００６９】
その他にも、遊技機の装置構成や各種の動作などは、本発明の趣旨を逸脱しない範囲で、任意に変更および修正が可能である。加えて、本発明の遊技機は、入賞の発生に基づいて所定数の遊技媒体を景品として払い出す払出式遊技機に限定されるものではなく、遊技媒体を封入し入賞の発生に基づいて得点を付与する封入式遊技機にも適用することができる。スロットマシンは、遊技用価値としてメダル並びにクレジットを用いて賭数が設定されるものに限定されず、遊技用価値として遊技球を用いて賭数を設定するスロットマシンや、遊技用価値としてクレジットのみを使用して賭数を設定する完全クレジット式のスロットマシンであってもよい。
【００７０】
以上説明したように、本願に係るパチンコ遊技機１などの遊技機では、例えばスピーカ８０Ｒにおいて、スピーカ本体８０Ｓが装着される筐体６０を構成する筐体後方部材６０Ｃに開口部６０Ｃ０が形成され、この開口部６０Ｃ０の周縁部と音声制御基板１３Ａとの隙間が弾性部材７１などの部材で密閉される。これにより、不正工具を挿し込むことなどによる不正行為を防止できる。
【００７１】
あるいは、例えばスピーカ８０Ｒにおいて、スピーカ本体８０Ｓが装着される筐体６０は、その内部において、前方側と後方側とで対向する側面のうち、前方側となる一方の側面にスピーカ本体８０Ｓが配置され、後方側となる他方の側面に音声制御基板１３Ａが配置される。これにより、ハーネスを通す挿通部などを設ける必要がないので、不正工具を挿し込むことなどによる不正行為を防止できる。
【００７２】
隙間を密閉する部材として変形可能な弾性部材７１が用いられることで、密閉性が向上して不正行為を防止できる。
【００７３】
音声制御基板１３Ａは、筐体後方部材６０Ｃの後方側における基板取付部にてネジ止めされ、弾性部材７１は、筐体後方部材６０Ｃの基板取付部に対応する所定範囲にて、筐体６０を構成する筐体後方部材６０Ｃの一面と音声制御基板１３Ａとに圧接される。これにより、開口部６０Ｃ０の周縁部と音声制御基板１３Ａとの隙間における密閉性が向上して不正行為を防止できる。
【００７４】
弾性部材７１は、開口部６０Ｃ０の外周側にあることが視認可能である。これにより、開口部６０Ｃ０の周縁部と音声制御基板１３Ａとの隙間における密閉性の確認が容易になり不正行為を防止できる。
【符号の説明】
【００７５】
１  …  パチンコ遊技機
１３Ａ〜１３Ｃ  …  音声制御基板
６０  …  筐体
６０Ａ  …  前面カバー部材
６０Ｂ  …  筐体前方部材
６０Ｃ  …  筐体後方部材
６０Ｃ０、６０Ｃ１、８４０、８４１  …  開口部
６６、７１、８７  …  弾性部材
８０Ｒ  …  スピーカ
８０Ｓ  …  スピーカ本体
８１Ｒ、８１Ｌ  …  第１スピーカ
８２Ｒ、８２Ｌ  …  第２スピーカ
８３  …  第３スピーカ
８４  …  スピーカユニット
８４Ａ  …  蓋部材
【図１】
2018196691.tif 000003
【図２】
2018196691.tif 000004
【図３】
2018196691.tif 000005
【図４】
2018196691.tif 000006
【図５】
2018196691.tif 000007
【図６】
2018196691.tif 000008
【図７】
2018196691.tif 000009
【図８】
2018196691.tif 000010
【図９】
2018196691.tif 000011
【図１０】
2018196691.tif 000012
【図１１】
2018196691.tif 000013
【図１２】
2018196691.tif 000014
【図１３】
2018196691.tif 000015